(57)【要約】【課題】  衝撃緩和材としてのスプリングを踵の部分に用いている靴として、スプリングの装着が簡単にできて、安定した姿勢で歩いたり、走行したりでき、更に衝撃を効果的に緩和できて疲れ防止効果が得られるようにする。【解決手段】  厚肉とした弾性部材を靴底の平面形状に合わせた平面形状として、爪先側部分８の上面より踵部分９の上面が段階的に高くなるようにした中底本体７ａを製作する。上記中底本体７ａの踵部分９に対応させて台座１１を製作する。該台座１１の上面に下端部を固定して突起物１６にガイドさせた圧縮スプリング１２の上端部を、上記踵部分９の下面に固定して突起物１５にガイドさせる。上記中底本体７ａと台座１１と圧縮スプリング１２とからなる中底７を、靴内部へ組み込んで外底１の上面に固定させることにより、圧縮スプリング１２を靴に取り付けるようにする。【選択図】図１
2005192817.tif 000002
【特許請求の範囲】
【請求項１】
弾性部材を厚肉として平面形状を靴底の平面形状に合わせ且つ先端側を爪先側部分、後端側を踵部分とした中底本体と、該中底本体の踵部分に対応する平面形状とした台座と、該台座と上記踵部分との間に上下方向に伸縮するように介装させた圧縮スプリングとからなる中底を、靴内部に組み込んで、中底本体の爪先側部分と台座を靴底の内面に固定させた構成を有することを特徴とする靴。
【請求項２】
中底本体の踵部分の下面と台座の上面に上端部と下端部を固定した圧縮スプリングの取付部に、それぞれ所長高さの突起物を設け、該各突起物で上記圧縮スプリングの両端部をガイドさせるようにした請求項１記載の靴。
【請求項３】
中底を構成する中底本体の上面を水平状態にすると共に、踵部分の上面より爪先側部分の上面をやや低くした請求項１又は２記載の靴。
【請求項４】
中底を構成する中底本体の爪先側部分と踵部分の中間部に位置する中間部分の上面の一部に隆起部を設けて、足の土踏まずの部分が当るようにした請求項１、２又は３記載の靴。
【発明の詳細な説明】
【技術分野】
【０００１】
本発明は、外側の靴底と、足を挿入するよう皮革製、布製、ゴム製の足支持部とからなる靴に関するもので、特に、足の踵の下方位置に地面からの衝撃を緩和させる緩衝材としてのスプリングを設置した靴に関するものである。
【背景技術】
【０００２】
各種の用途に合わせて製作される靴は、それぞれの用途に応じた機能性と良好な履き心地性を有するものとして製作されるのが一般的であるが、靴を履いて歩いたり、走ったり、立ち仕事をしている場合に、地面に接したときの地面反力が大きいことから、地面からの衝撃を緩和して、足へ衝撃が伝わり難いようにするための工夫、研究がなされている。
【０００３】
従来、歩いたりするときの地面からの衝撃を緩和しようとする観点から、たとえば、ゴム等の弾性部で靴底としての外底全体、あるいは、踵部分を製作して、地面からの衝撃を外底で緩和させるようにしたものや、外底の踵部分に空間部を形成してエアタンクとして、エアクッションにより衝撃を吸収するようにしたもの、等が提案され且つ市販されている。
【０００４】
しかしながら、上記のように、外底自体を弾力性を有するものとして、地面からの衝撃を吸収させるようにしたものや、エアクッションにより地面からの衝撃を吸収させるようにしたものでも、歩いたり、走ったり、立ち仕事をしているとき、等では、足だけで地面からの衝撃を吸収することが充分にはできず、膝、腰、背骨等に衝撃が伝わって、かかる部分に負担がかかり、疲労感が増すと共に、快適な着用感が得られないのが実状である。
【０００５】
かかる問題を解決するものとして、近年では、靴の外底に外部から見るようにスプリングを組み込み、靴の踵の部分に体重をかけるとスプリングが圧縮されることにより、地面からの衝撃を緩和させるようにしたものが提案されている。
【０００６】
図６はその一例を示すもので、靴の外底１における踵部分２のみを厚底状に厚くし、該厚くした踵部分２の厚み方向（上下方向）の中間部を切欠くことにより、踵部分２を、上部踵部分３ａと下部踵部分３ｂとに分割した構造としている。更に、上記上部踵部分３ａと下部踵部分３ｂとの間に、複数個の衝撃緩和用の圧縮スプリング４を並べて配置し、該各圧縮スプリング４の上下両端部を、上記上部踵部分３ａと下部踵部分３ｂにそれぞれ固定し、上部踵部分３ａに体重を作用させると、各圧縮スプリング４が圧縮されるようにして、地面からの衝撃を各圧縮スプリング４で吸収させて緩和させるようにしてある。５は足に靴を支持させるようにする靴本体としての足支持部である（たとえば、特許文献１参照）。
【０００７】
この図６に示す靴では、足に装着して歩いたり、走ったりするとき、足の踵で着地して体重を外底１の上部踵部分３ａに作用させると、該上部踵部分３ａと下部踵部分３ｂとの間に介装させた各圧縮スプリング４が圧縮して上部踵部分３ａを下方へ所要量沈めるようになるので、地面から外底１の下部踵部分３ｂを通して足の踵に伝えられようとする衝撃力を各圧縮スプリング４で吸収することができ、一方、歩行時に踵で着地してから体重を足の前側ヘ移して足全体で体重を支えて地面を蹴り上げるようにするときは、各圧縮スプリング４が伸長作動して足の踵を押し上げるようになることから、衝撃吸収・エネルギー蓄積及びエネルギー復帰を足に与えることができるものである。
【０００８】
図６に示すもの以外にも、靴の外底の踵部分を厚くして上下に分割し、その間に圧縮スプリングを介装させて、歩いたり、走ったりするときの地面からの衝撃を外底の踵部分の圧縮スプリングで吸収して緩和させるようにしたものはある（たとえば、特許文献２参照、特許文献３参照）。
【０００９】
又、歩いたり、走ったりしているときの靴の踵部分に加わる衝撃を吸収させるものとして、靴底の部分において、中底と下底（外底）との間に、走行の際に作用する荷重に対する地面からの衝撃を吸収するクッション部を配置し、該クッション部は、エアタンクを形成するようにした上部円筒体及び下部円筒体と、該上部円筒体の内側に取り付けた固定ピンと、該固定ピンに嵌めて上部円筒体と下部円筒体との間に配置した内部スプリング１０とからなる構成としてある。このクッション部を並べて配置して、その上面に中底を載せるようにしたものも提案されている（たとえば、特許文献４参照）。
【００１０】
【特許文献１】特表２００１−５０１１２３号公報
【特許文献２】特表平９−５０６８０４号公報
【特許文献３】米国特許第６５６８１０２ Ｂ１号明細書
【特許文献４】特開平８−１０７８０２号公報
【発明の開示】
【発明が解決しようとする課題】
【００１１】
ところが、特許文献１、特許文献２、特許文献３に示されるものは、いずれも靴の外底１の踵部分を厚肉として上下に分割し、その間に圧縮スプリング４を介装して、踵部分の上面、すなわち、図６に示す上部踵部分３ａの上面は、接地面である下部踵部分３ｂの下面位置よりスプリング４の高さ分だけ通常の靴底の踵部分の高さより高くなっている。そのため、実際に着用した場合に爪先立ちの状態になって不安定となることが免れず、かなりの注意を払わなければ円滑で且つ安定した歩行ができない傾向にある。又、着用して歩行している際、普段の履きなれている靴の踵の高さよりも足の踵を置く上部踵部分３ａが高くなっていることを忘れ、路面の凹凸や段差、階段等に靴の踵が引掛り、転んだり、足をひねる等のおそれがある。
【００１２】
更に、スプリング４が外部から視認できるもので、スプリングの装置部に雨水やごみ等が入り、スプリングに異物が噛み込まれると、体重を作用させたときのスプリングの圧縮に偏りが生じるおそれもある。更に又、硬い材質の外底を上下に分割して、その間にスプリングを介装させるものであることと、使用中にスプリングが離脱することがないようにするために、スプリングの装着は非常に重要な作業であり、簡単に行うことはできない。
【００１３】
一方、特許文献４に示されるものは、エアクッションとスプリングの弾力を利用するものであるが、各クッション部に直接中底を敷くものであるため、スプリングの弾力が強いと、足の踵に作用するスプリングの弾力により着用時、時間の経過とともに足の踵に痛みが発生して来るという問題がある。又、スプリングの強さを弱くすると、衝撃吸収の効果が得られないというおそれがある。
【００１４】
そこで、本発明は、衝撃緩和材としてのスプリングを靴底に用いる型式において、スプリングを簡単に装着できると共に、履きなれた靴の感覚で着用できて安定した歩行や走行ができて、更に衝撃を効果的に緩和でき疲れ防止効果が得られるような靴を提供しようとするものである。
【課題を解決するための手段】
【００１５】
本発明は、上記課題を解決するために、弾性部材を厚肉として平面形状を靴底の平面形状に合わせ且つ先端側を爪先側部分、後端側を踵部分とした中底本体と、該中底本体の踵部分に対応する平面形状とした台座と、該台座と上記踵部分との間に上下方向に伸縮するように介装させた圧縮スプリングとからなる中底を、靴内部に組み込んで、中底本体の爪先側部分と台座を靴底の内面に固定させた構成とする。
【００１６】
又、上記構成において、中底本体の踵部分の下面と台座の上面に上端部と下端部を固定した圧縮スプリングの取付部に、それぞれ所長高さの突起物を設け、該各突起物で上記圧縮スプリングの両端部をガイドさせるようにした構成としたり、中底を構成する中底本体の上面を水平状態にすると共に、踵部分の上面より爪先側部分の上面をやや低くした構成とする。
【００１７】
同様に、上記構成において、中底を構成する中底本体の爪先側部分と踵部分の中間部に位置する中間部分の上面の一部に隆起部を設けて、足の土踏まずの部分が当るようにした構成とする。
【発明の効果】
【００１８】
本発明の靴によれば、弾性部材を厚肉として平面形状を靴底の平面形状に合わせ且つ先端側を爪先側部分、後端側を踵部分とした中底本体と、該中底本体の踵部分に対応する平面形状とした台座と、該台座と上記踵部分との間に上下方向に伸縮するように介装させた圧縮スプリングとからなる中底を、靴内部に組み込んで、中底本体の爪先側部分と台座を靴底の内面に固定させた構成としてあるので、次の如き優れた効果を奏し得る。  
（１）足に装着して歩いたり、走ったり、立ち仕事をしているときに、中底の踵部分に体重が乗ると、靴の中に取り付けたスプリングを踵部分で圧縮させることができるので、足の踵に直接スプリングが作用して、地面からの衝撃を吸収することができて足の踵への衝撃を緩和でき、足の踵に負担がかからなくて膝、背骨等、他の骨格に加えられる負荷を低減させることができる。  
（２）上記（１）により、靴の中にスプリングを用いた方式でありながら着地時の姿勢の如何に拘らずスプリング変形の平均化がなされると共に、その衝撃が効果的に緩和され、快適な着用感、疲れ防止効果が得られる。  
（３）スプリングを靴の中に入れているので、スプリングを靴の外側の外底に装着したものに比して、靴の踵が靴の外側を上げ底のように分厚い靴底となることがなく、普段の靴の踵の靴にすることができて、歩行時の安定性を高めることができると共に、外観から身長が高くなることがわからないようにできる。  
（４）足の踵に直接作用するスプリング上に弾力性を有する踵部分があり、該踵部分を介してスプリングを圧縮させるようにしてあるので、踵部分によりスプリングの弾力を吸収して分散させることができて、スプリングの弾力で足の踵に痛みが発生するようなことが未然に防止できる。  
（５）厚底状にした中底本体と台座とを別体で製作し、中底本体の後側の踵部分と台座との間に圧縮スプリングを介装させて一体構造の中底としているので、圧縮スプリングの取り付けが容易であると共に、圧縮スプリングを靴の中に入れる際、中底を１つのブロックとして取り扱うことができて簡単に靴の中に組み込んで、踵の部分にスプリングを入れたものとすることができる。  
（６）踵部分と台座へのスプリング取付部に、突起物をそれぞれ設けて、スプリングの伸縮動作をガイドするようにすることにより、スプリングが偏って押されたとしても突起物に沿わされるようになるので、スプリングを安定よく伸縮させることが可能となる。  
（７）中底本体の上面を平らにして、踵部分よりも爪先側部分の上面をやや低くした構成とすることにより、踵の部分のみ厚底としたものに比して、履きなれた靴と同じように安定した姿勢で歩いたり走ったりすることができる。  
（８）中底本体の中間部分の上面に隆起部を設けておくことにより、足の土踏まずの部分に隆起部を当てることができて、疲れを容易に解消できる。
【発明を実施するための最良の形態】
【００１９】
以下、本発明の実施の形態を図面を参照して説明する。
【００２０】
図１乃至図５は本発明の実施の一形態を示すもので、下面を接地させる靴底としての外底（下底）１に、足に装着できるように製作されている足支持部５を接合して、該足支持部５の内側に薄板状の内底６を挿入して敷くようにしてある靴の中に、本発明の特徴をなすスプリング付きの中底７を組み込んで、衝撃緩和材としてのスプリングを靴の中に入れた構成とする。
【００２１】
詳述すると、上記スプリング付きの中底７は、厚肉とし且つ充分なクッション性を有するゴム等の弾性部材を、先端側となる爪先側部分８、後端側となる踵部分９、及び該爪先側部分８と踵部分9との間に位置する中間部分１０に区分して、中間部分１０と踵部分９
の上面を、爪先側部分８の上面より段階的に高くしてそれぞれ高さが階段状に異なるようにした中底本体７ａと、該中底本体７ａとは別体で、上記踵部分９に対応する大きさに形成した台座１１と、該台座１１の上面に下端部を固定すると共に上端部を上記踵部分９の下面に固定して、該台座１１と踵部分９との間に介装させた複数の圧縮スプリング１２とからなる構成とする。
【００２２】
上記中底７の中底本体７ａは、外底１の平面形状に合わせた平面形状としてあって、爪先側部分８は肉厚を最も厚く、たとえば、４０ｍｍ程度として、上面は平らな面とし、下面は外底１の上面に接着剤にて接合できるようにしてある。中間部分１０及び踵部分９は、いずれも上記爪先側部分８よりも厚さ寸法が小さく、たとえば、中間部分１０の厚みは３０ｍｍ程度、踵部分９の厚みは２５ｍｍ程度としてあると共に、前記したように階段状に高くしてあって、中間部分１０は、上面を爪先側部分８の上面より所要寸法（たとえば、１０ｍｍ程度）高くなるように段差を設ける。又、踵部分９は、上面を中間部分１０の上面より所要寸法（たとえば、５ｍｍ程度）高くなるように段差を設けるようにする。これに伴い、上記中間部分１０と踵部分９の各下面側は、段階的に切欠いた構造となっていて、空間部１３が形成されるようにしてある。更に、中間部分１０の上面で且つ足の土踏まずに対応する部分には、所要寸法、たとえば、５ｍｍ程度上方へ突出する隆起部１４を設けて、部分的に厚くなるようにする。
【００２３】
上記中底７の台座１１は、踵部分９の平面形状に対応する平面形状を有し、且つ前後方向の長さ寸法Ｌ１を、上記踵部分９の下面の前後方向の長さ寸法Ｌ２よりも僅かに小さい寸法としてあって、上記踵部分９とともに中間部分１０が押し下げられたときに台座１１が中間部分１０の下面と干渉することがないようにしてある。
【００２４】
又、上記中底７を構成する複数の圧縮スプリング１２は、上下両端部を踵部分９の下面と台座１１の上面に固定して垂直状態に配置してあり、台座１１上の圧縮スプリング１２の上面に、厚肉のクッション材からなる踵部分９が載せられて、該踵部分９を介して荷重を受けて圧縮させることができるようにする。上記圧縮スプリング１２の取付部である踵部分９の下面の複数個所には、外周面がスプリングガイドとして機能するように所要寸法、たとえば、５ｍｍ程度下向きに突出する円柱状のへそとしての突起物１５が横（左右方向）に並べて設けてある。上記台座１１の上面には、上記踵部分９側の複数の突起物１５に対向するように、同じくスプリングガイドとして機能するようにした同じ高さの突起物１６が並べて設けてある。圧縮スプリング１２は、最適な弾力、すなわち、装着して使用するときに体重が足の踵から踵部分９に作用したときに無理なく圧縮できると共に、圧縮させるときに踵に強い反力が作用しない程度のものとしてあり、その大きさは、たとえば、長さを２５ｍｍ、外径を２５ｍｍ、内径を２２ｍｍ程度としてある。更に、圧縮スプリング１２の一端（上端）部は、踵部分９の下面の各突起物１５の外側に嵌合させてから踵部分９に埋め込んで固定し、該圧縮スプリング１２の他端（下端）部は、台座１１上の各突起物１６に嵌合させてから台座１１に埋め込んで固定して、踵部分９の下面と台座１１の上面との対峙間隔が、たとえば、１８〜２０ｍｍ程度となるようにしてあり、踵部分９の上面に体重が作用して該踵部分９を押し下げるとき、体重が作用する方向に偏りがあっても、圧縮スプリング１２が外れたり、ねじれたりすることなく突起物１５，１６にガイドされて安定した伸縮ができるようにしてある。
【００２５】
上記のように構成されている中底７は、図１に示す如く、靴の中に組み込んで、外部からは視認できないようにして使用する。この際、上記中底７は、中底本体７ａと台座１１と圧縮スプリング１２と別々に用意し、中底本体７ａと台座１１とを圧縮スプリング１２で連結して一体にしてなる構成としてあるので、製作が容易で且つ組み立てが容易であると共に、１つのブロックとして取り扱うことができる。上記中底７を用いた靴を製作するときは、足支持部５として、爪先側及び踵側をいずれも普通の靴の足支持部よりも高く、すなわち、下端側周縁部からアッパまでの高さを、中底７の厚みに相当する寸法分高くした形状として製作し、該足支持部５の下端側周縁部を外底１に縫合あるいは接着等により接合して固定する。しかる後に、中底７を外底１の上に配置して、中底本体７ａの爪先側部分８の下面を外底１の爪先側部分に接着剤等で接合すると共に、中底７の台座１１を、外底１の踵部分の上面に位置させて、その下面を外底１に接着剤等にて接合させるようにする。これにより、外底１の上側に中底７を取り付けることができる。
【００２６】
更に、上記足支持部５内の中底本体７ａの上面に、薄い内底６を敷き、該内底６の下面を中底本体７ａの踵部分９と爪先側部分８の上面に接合し、中間部分１０の隆起部１４のところでは、内底６が上方へゆるやかに隆起するようにする。
【００２７】
上記足支持部５の内側に位置する中底本体７ａは、全体としてスポンジのように弾力性を有し、更に、踵部分９と中間部分１０は、下面側に空間部１３があり、着用して体重が作用するとき下方へ押し下げられるときに自由に下方へ変位できるようにする必要があり、そのために、図２に示す如く、中底７の中底本体７ａと足支持部５の内側面とは接合することなく相対変位できるように僅かな隙間δが形成されているようにする。
【００２８】
本発明の靴は、上記構成としてあるので、厚底状とし且つ踵の部分に複数の圧縮スプリング１２を入れた中底７は、足支持部５で覆われていて、外部から視認することはできない。そのため、靴の内部が厚底となっていることがわからず、この靴を着用することにより身長を高く見せることができる上に、着用して歩いたり、走ったり、立ち仕事をしているときにおける地面からの衝撃を中底７で吸収できて、足の踵に衝撃を伝えることが防止できる。
【００２９】
すなわち、本発明の靴を足に装着して歩いたり、走ったり、立ち仕事をするときは、靴の爪先側部分では、中底７の爪先側部分８により地面から衝撃は緩和され、踵の部分は、スプリング１２と踵部分９の弾力により地面からの衝撃は緩和されて、足に伝えられることが低減される。この際、靴の外底１の上にスプリングを立てて取り付け、該スプリングの上に単に薄い内底を載せた構成とした場合は、足の踵をスプリングの上に載せて歩いたり、走ったりするときに、足の踵でスプリングを圧縮するとき、スプリングは常に規則正しく直上方から押されることはなく、斜めから押される等、偏った押され方をするため、足の踵にスプリングの弾力による痛みが発生することが本発明者によって確認されている。この点、本発明の靴によれば、足の踵の部分に組み入れた圧縮スプリング１２の上面に所要厚さとしたクッション材からなる踵部分９があり、該踵部分９がスプリング１２の弾力を吸収して分散させる機能を有するものとしてあるので、歩行したり、走行したり、長時間にわたる立ち仕事においても、足の踵に痛みが発生することはない。又、上記踵部分９の下面と台座１１の上面に、各スプリング１２の内径よりも外径を小さくした突起物１５と１６がそれぞれ設けられていて、各スプリング１２が突起物１５と１６にガイドされて伸縮動作を繰り返すようにしてあることから、たとえ、歩き方に癖があって偏った体重のかけ方となる場合でも、各スプリング１２が斜めに偏って押されることが防止できる。
【００３０】
一般に、人が歩く際の足部の動きは、(1)踵から着地、(2)体重を足部の外側に移動させる、(3)次第に体重を足部の内側に移動させ足全体で体重を支え地面を蹴り上げる、とい
う一連の「あおり運動」である。
【００３１】
本発明の靴は、靴の踵の部分の内側に、踵部分９と台座１１との間にスプリング１２を配置した中底７を取り付けて、踵部分に体重が乗るとスプリング１２が圧縮されるようにしてあるので、上記一連の「あおり運動」がスムーズに行われ、足全体にバランスよく体重を乗せることができて、歩行の際に人体に加えられる負荷を低減させることができる。
そのため、靴の中にスプリングを用いた方式でありながら着地時の姿勢の如何に拘らずスプリング１２の変形の平均化がなされると共に、その衝撃を効果的に緩和させることができる。
【００３２】
又、本発明の靴は、靴の内部に入れた厚底状の中底７を外部から認識することができないようにしてあるため、背の低い人でも抵抗なく着用して背を高くすることができ、しかも、靴の外底は日常的に使用されている普通の靴底にすることができ、又、中底本体７ａの爪先側部分８は厚くしてあって、着用時に爪先立ちとなることがないようにしてあるので、歩行や走行時の安定性を保持することができる。
【００３３】
なお、上記実施の形態では、外底１が比較的平らな靴としたものとして示したが、外底の上面が踵から爪先側へ向けてやや低くなるようにしてある踵の高い男性用革靴や女性用ローヒールの靴の場合は、その外底の上面に合わせて中底７を取り付けて、中底７の上面が爪先側へやや下り勾配となるようにすればよい。又、本発明の靴は、上記のほか、スニーカー（運動靴）、ゴルフシューズの如き種々の靴を含むものである。更に、スプリング１２は左右方向に並べて２つ設ける場合を示したが、２個以上としてもよい。実施の形態では、中底７の各部の寸法を例示したが、これは一例であり、ここに示した数値に限定されるものではない。
【図面の簡単な説明】
【００３４】
【図１】本発明の靴の実施の一形態の概要を示す一部切断側面図である。
【図２】図１のＡ矢視断面図である。
【図３】本発明の靴における中底の一部を切除した平面図である。
【図４】本発明の靴における中底の斜視図である。
【図５】図３のＢ矢視断面図である。
【図６】従来の踵の部分にスプリングを取り付けた型式の靴を示す概略図である。
【符号の説明】
【００３５】
１  外底
５  足支持部
６  内底
７  中底
７ａ  中底本体
８  爪先側部分
９  踵部分
１０  中間部分
１１  台座
１２  圧縮スプリング
１４  隆起部
１５  突起物
１６  突起物
【図１】
2005192817.tif 000003
【図２】
2005192817.tif 000004
【図３】
2005192817.tif 000005
【図４】
2005192817.tif 000006
【図５】
2005192817.tif 000007
【図６】
2005192817.tif 000008